(57)【要約】【課題】高いトルクに対する耐久性に優れた接続具および工具用ソケットの提供【解決手段】  接続具１０は、一端に先端工具に接続する第１接続部５０を、他端に電動回転工具に接続する第２接続部６０を備え、第１接続部５０および第２接続部６０の間に遥動継手４０を備える。遥動継手４０は、電動回転工具による回転運動を先端工具に伝達しつつ、電動回転工具の回転軸に対する前記先端工具の回転軸の円周運動を可能とする。接続具１０は、内側部材２０と、外側部材３０とを備える。内側部材２０の一端には遥動軸部２１を備え、外側部材３０の一端には遥動軸部２１を収容する遥動軸受部３１を備える。遥動軸部２１の周面には、外方に延びるガイド突起２２が設けられ、遥動軸受部３１のガイド突起２２に対応する位置に外側部材３０の軸方向に延びるように設けられたガイド穴３２を備える。ガイド孔３２は、円筒部材３３によって覆われる。【選択図】  図２
2019018260.tif 000002
【特許請求の範囲】
【請求項１】
電動回転工具による回転運動を先端工具に伝達しつつ、電動回転工具の回転軸に対する前記先端工具の回転軸の円周運動を可能とする遥動継手を備える接続具であって、
一端に遥動軸部を備える内側部材と、
一端に前記遥動軸部を収容する遥動軸受部を備える外側部材と、
前記遥動軸部の周面から外方に延びるガイド突起と、
前記遥動軸受部の前記ガイド突起に対応する位置に前記外側部材の軸方向に延びるように設けられた、前記ガイド突起の脱落を規制するガイド孔と、
前記ガイド孔を覆う円筒部材とを備える、接続具。
【請求項２】
前記遥動軸部の前記内側部材の軸方向に垂直な断面の外面形状が、前記遥動軸受部の前記外側部材の軸方向に垂直な断面の内面形状と相似する多角形であり、電動回転工具による回転運動を先端工具に伝達しつつ、電動回転工具の回転軸に対する前記先端工具の回転軸の円周運動を可能とする、
請求項１に記載の接続具。
【請求項３】
前記外面形状および前記内面形状が、六角形である、
請求項２に記載の接続具。
【請求項４】
前記遥動軸部が、
前記内側部材の基体部より径が小さい縮径部と、
前記基体部と前記縮径部との間に設けられた外面テーパ部と、
前記遥動軸受部の内面と摺動する面で構成される摺動部と、
前記摺動部よりも径が小さい頭部と、
前記摺動部と前記頭部との間に設けられたテーパ摺動面部とを備える、
請求項２または３に記載の接続具。
【請求項５】
前記遥動軸受部が、
前記頭部と当接する底面部と、
前記摺動部およびテーパ摺動面部と当接する内周面部と、
前記内周面部より内径が大きい円環縁部と、
前記内周面部と前記円環縁部との間に設けられた内面テーパ面部とを備える、
請求項４に記載の接続具。
【請求項６】
遥動時には、
前記外面テーパ部および前記円環縁部と、
前記縮径部および前記内面テーパ面部と、
前記テーパ摺動面部および前記内周面部とがそれぞれ当接する、
請求項５に記載の接続具。
【請求項７】
前記ガイド突起が、
前記遥動軸部の周面に設けられた穴と、
前記穴に挿入されたピンにより構成した、
請求項１から６までのいずれかに記載の接続具。
【請求項８】
前記穴が貫通孔であり、前記ピンの長さが前記内周面部の内径より大きく、前記円筒部材の内径より小さい、
請求項７に記載の接続具。
【請求項９】
前記内側部材の他端に、先端工具に接続する第１接続部を備え、
前記外側部材の他端に、電動回転工具に接続する第２接続部を備える、
請求項１から８までのいずれかに記載の接続具。
【請求項１０】
請求項１から９までのいずれかに記載の接続具を備える、
工具用ソケット。
【発明の詳細な説明】
【技術分野】
【０００１】
本発明は、接続具および工具用ソケットに関する。
【背景技術】
【０００２】
ボルト、ナットなどの締結具の締め付けは、ドリルドライバ、インパクトドライバ、インパクトレンチなどの電動回転工具に、六角ソケットレンチなどの先端工具を取り付けて、行なわれる。この際、壁際などの締付が困難な箇所では、電動回転工具による回転運動を先端工具に伝達しつつ、電動回転工具の回転軸に対する前記先端工具の回転軸の円周運動を可能とするいわゆる首振り機構（以下、「遥動継手」と呼ぶ。）を備える先端工具や、そのような先端工具を取り付けるアタッチメント（以下、「接続具」と呼ぶ。）が用いられる。
【０００３】
遥動継手を備える先端工具としては、例えば、特許文献１に記載されるようなユニバーサルジョイント型のもののほか、特許文献２および３に記載されるような遥動軸部および遥動軸受部を備え、Ｃリングにより遥動軸部の抜けを抑止するものが知られている。
【先行技術文献】
【特許文献】
【０００４】
【特許文献１】特開平６−５８３０号公報
【特許文献２】特開２００４−２０２６６５号公報
【特許文献３】特開２００９−２７９６６９号公報
【発明の概要】
【発明が解決しようとする課題】
【０００５】
ドリルドライバ、インパクトドライバなどの電動回転工具は、バッテリの大容量化に従って高いトルクでの締付が可能になってきており、最大トルクが１５０Ｎ・ｍ以上、さらには２００Ｎ・ｍ以上のものもある。また、インパクトレンチにおいては最大トルクが３００Ｎ・ｍ以上のものもある。このため、先端工具への負荷も増加しており、特許文献１〜３に記載の先端工具をそのような高いトルクでの締付に使用した場合、遥動継手が破損するおそれがある。
【０００６】
本発明は、高いトルクの電動回転工具による締め付け作業に用いることができる、遥動継手を備える接続具および工具用ソケットを提供することを目的とする。
【課題を解決するための手段】
【０００７】
本発明者らは、上記の課題を解決するべく鋭意研究を重ね、本発明を完成させた。本発明は、下記の接続具および工具用ソケットを要旨とする。
【０００８】
（１）電動回転工具による回転運動を先端工具に伝達しつつ、電動回転工具の回転軸に対する前記先端工具の回転軸の円周運動を可能とする遥動継手を備える接続具であって、
一端に遥動軸部を備える内側部材と、
一端に前記遥動軸部を収容する遥動軸受部を備える外側部材と、
前記遥動軸部の周面から外方に延びるガイド突起と、
前記遥動軸受部の前記ガイド突起に対応する位置に前記外側部材の軸方向に延びるように設けられた、前記ガイド突起の脱落を規制するガイド孔と、
前記ガイド孔を覆う円筒部材とを備える、接続具。
【０００９】
（２）前記遥動軸部の前記内側部材の軸方向に垂直な断面の外面形状が、前記遥動軸受部の前記外側部材の軸方向に垂直な断面の内面形状と相似する多角形であり、電動回転工具による回転運動を先端工具に伝達しつつ、電動回転工具の回転軸に対する前記先端工具の回転軸の円周運動を可能とする、上記（１）の接続具。
【００１０】
（３）前記外面形状および前記内面形状が、六角形である、上記（２）の接続具。
【００１１】
（４）前記遥動軸部が、
前記内側部材の基体部より径が小さい縮径部と、
前記基体部と前記縮径部との間に設けられた外面テーパ部と、
前記遥動軸受部の内面と摺動する面で構成される摺動部と、
前記摺動部よりも径が小さい頭部と、
前記摺動部と前記頭部との間に設けられたテーパ摺動面部とを備える、
上記（２）または（３）の接続具。
【００１２】
（５）前記遥動軸受部が、
前記頭部と当接する底面部と、
前記摺動部およびテーパ摺動面部と当接する内周面部と、
前記内周面部より内径が大きい円環縁部と、
前記内周面部と前記円環縁部との間に設けられた内面テーパ面部とを備える、
上記（４）の接続具。
【００１３】
（６）遥動時には、
前記外面テーパ部および前記円環縁部と、
前記縮径部および前記内面テーパ面部と、
前記テーパ摺動面部および前記内周面部とがそれぞれ当接する、
上記（５）の接続具。
【００１４】
（７）前記ガイド突起が、
前記遥動軸部の周面に設けられた穴と、
前記穴に挿入されたピンにより構成した、
上記（１）〜（６）のいずれかの接続具。
【００１５】
（８）前記穴が貫通孔であり、前記ピンの長さが前記内周面部の内径より大きく、前記円筒部材の内径より小さい、
上記（７）の接続具。
【００１６】
（９）前記内側部材の他端に、先端工具に接続する第１接続部を備え、
前記外側部材の他端に、電動回転工具に接続する第２接続部を備える、
上記（１）〜（８）のいずれかの接続具。
【００１７】
（１０）上記（１）〜（９）のいずれかの接続具を備える、
工具用ソケット。
【発明の効果】
【００１８】
本発明によれば、高いトルクに対する耐久性に優れた接続具および工具用ソケットが得られるので、最大トルクが１５０Ｎ・ｍ以上、さらには２００Ｎ・ｍ以上の電動回転工具による締付に用いることが可能である。
【図面の簡単な説明】
【００１９】
【図１】本実施形態に係る接続具の外観形状を示す斜視図
【図２】本実施形態に係る接続具の内部構造を示す部分断面図
【図３】本実施形態に係る接続具の内部構造を図２とは異なる視野で示す部分断面図
【図４】他の実施形態に係る接続具の内部構造を示す部分断面図
【発明を実施するための形態】
【００２０】
図２および図３に示すように、本実施形態に係る接続具１０は、内側部材２０と、外側部材３０とを備えている。内側部材２０の一端には遥動軸部２１を備え、外側部材３０の一端には遥動軸部２１を収容する遥動軸受部３１を備えている。遥動軸部２１の周面には、外方に延びるガイド突起２２が設けられており、遥動軸受部３１のガイド突起２２に対応する位置に外側部材３０の軸方向に延びるように設けられたガイド穴３２を備えている。ガイド孔３２は、円筒部材３３によって覆われている。このような構成を有しているので、ガイド突起２２の移動がガイド孔３２内に収まり、その脱落を規制することができる。
【００２１】
本実施形態に係る接続具１０は、このような構成を有しているので、Ｃリングにより遥動軸部の抜けを抑止する従来の遥動継手よりも高いトルク、つまり、最大トルクが１５０Ｎ・ｍ以上、さらには２００Ｎ・ｍ以上のトルクを受けた場合であっても、遥動継手の破損を抑止することができる。
【００２２】
遥動軸部２１の内側部材２０の軸方向に垂直な断面の外面形状が、遥動軸受部３１の外側部材３０の軸方向に垂直な断面の内面形状と相似する多角形であり、電動回転工具（図示省略）による回転運動を先端工具（図示省略）に伝達しつつ、電動回転工具（図示省略）の回転軸（図２、３に示す例では外側部材３０の軸方向と同一方向の軸）に対する先端工具（図示省略）の回転軸（図２、３に示す例では内側部材２０の軸方向と同一方向の軸）の円周運動（図２の破線で示す内側部材２０ａの運動）を可能とする。
【００２３】
遥動軸部２１の外面形状および遥動軸受部３１の内面形状は、六角形であることが好ましい。五角以下の多角形では、円滑な円周運動が困難となるおそれがあり、七角以上の多角形では、高いトルクが付与されたときに、遥動軸部２１と遥動軸受部３１との間にすべりが生じるおそれがある。なお、多角形は、正多角形である。
【００２４】
遥動軸部２１は、内側部材２０の基体部２３より径が小さい縮径部２４と、基体部２３と縮径部２４との間に設けられた外面テーパ部２５と、遥動軸受部３１の内面と摺動する面で構成される摺動部２６と、摺動部２６よりも径が小さい頭部２７と、摺動部２６と頭部２７との間に設けられたテーパ摺動面部２８とを備えている。ここで、摺動部２６の各面は曲面で構成されており、遥動軸心まわりの遥動軸受部３１の内面との摺動を容易にする。
【００２５】
遥動軸受部３１は、頭部２７と当接する底面部３４と、摺動部２６およびテーパ摺動面部２８と当接する内周面部３７と、内周面部３７より内径が大きい円環縁部３５と、内周面部３７と円環縁部３５との間に設けられた内面テーパ面部３６とを備える。このような構成においては、遥動時に外面テーパ部２５および円環縁部３５が当接し、縮径部２４および内面テーパ面部３６が当接し、さらに、テーパ摺動面部２８および内周面部３７が当接する。このため、高いトルク、つまり、最大トルクが１５０Ｎ・ｍ以上、さらには２００Ｎ・ｍ以上のトルクを受けた場合であっても、遥動継手４０の破損を抑止することができる。
【００２６】
ガイド突起２２は、例えば、図２、図３に示すように、遥動軸部２１の周面に設けられた穴（図示省略）に挿入されたピンにより構成しているものである。ガイド突起２２は、一つでも良いが、複数設けることにより、ガイド突起２２のガイド孔３２からの抜けをより確実に規制できるというメリットがある。上記のピン２２を挿入するための穴を貫通孔として、ガイド突起２２としてのピンの長さが内周面部３７の内径より大きく、円筒部材３３の内径より小さいことが好ましい。このように、遥動軸部２１（具体的には、摺動部２６）の周面に設けられた貫通孔に、長さが内周面部３７の内径より大きく、円筒部材３３の内径より小さいピンをガイド突起２２として用いる構成であれば、複数のガイド突起２２を遥動軸部２１の外面に容易に設けることができ、ガイド突起２２のガイド孔３２からの抜けをより確実に規制できる。
【００２７】
図２および図３に示す例では、内側部材２０の他端には、先端工具（図示省略）に接続する第１接続部５０を備え、外側部材３０の他端には、電動回転工具（図示省略）に接続する第２接続部６０を備える構成の接続具１０が示されているが、このような構成に限られない。すなわち、ことが好ましい。内側部材２０の他端には、電動回転工具（図示省略）に接続する第２接続部６０を備え、外側部材３０の他端には、先端工具（図示省略）に接続する第１接続部５０を備える構成であってもよい。
【００２８】
第１接続部５０として、図２および図３に示す例では、インパクトレンチなどの取付部と同様の差込角の形状のものを記載しており、このような構成であれば、インパクトレンチなどの電動回転工具用の先端工具を取り付けることができるが、このような構成に限られない。すなわち、第１接続部５０として、インパクトドライバ、ドリルドライバなどの取付部と同様の挿入孔を有し、六角軸や丸棒軸などの軸棒を固定可能な構成のものを用いれば、介して先端工具を取り付ける構成六角軸ビットの脱着が可能な形状とし、インパクトドライバ、ドリルドライバなどの電動回転工具用の先端工具を取り付けることができる。
【００２９】
第２接続部６０に関して、図２および図３に示す例ではドリルドライバ、インパクトドライバなどのように、取付部が挿入孔であり、六角軸や丸棒軸などの軸棒を介して先端工具を取り付ける構成の電動回転工具に用いることができる接続具１０であり、第２接続部６０がビット形状となっているが、このような構成に限られない。インパクトレンチなどのように、先端工具の取付部が差込角であり、この差込角を先端工具の挿入孔に挿入して取り付ける構成の電動回転工具に用いる場合には、例えば、図４に示すように、第２接続部６０ａが、差込角（図示省略）に対応する形状の挿入孔で構成される接続具１０ａを用いてもよい。
【００３０】
以上、主として、電動回転工具と先端工具とを接続するための接続具について説明をしたが、第１接続部５０を先端工具と一体で構成することにより、遥動継手を有する工具用ソケットとすることができる。
【産業上の利用可能性】
【００３１】
本発明によれば、高いトルクに対する耐久性に優れた接続具および工具用ソケットが得られるので、最大トルクが１５０Ｎ・ｍ以上、さらには２００Ｎ・ｍ以上の電動回転工具による締付に用いることが可能である。
【符号の説明】
【００３２】
１０  本実施形態に係る接続具
１０ａ  他の実施形態に係る接続具
２０  内側部材
２１  遥動軸部
２２  ガイド突起
２３  基体部
２４  縮径部
２５  外面テーパ部
２６  摺動部
２７  頭部
２８  テーパ摺動面部
３０  外側部材
３１  遥動軸受部
３２  ガイド穴
３３  円筒部材
３４  底面部
３７  内周面部
３５  円環縁部
３６  内面テーパ面部
４０  遥動継手
５０  第１接続部
６０  第２接続部
６０ａ  第２接続部
【図１】
2019018260.tif 000003
【図２】
2019018260.tif 000004
【図３】
2019018260.tif 000005
【図４】
2019018260.tif 000006